(57)【特許請求の範囲】
【請求項１】
先端側が拡開した円錐状燃焼室の中心に、液体燃料を霧化して噴出する燃料霧化器を備えるとともに、該燃料霧化器の外周に、燃料霧化器から噴出した燃料を包み込むように一次支燃性ガスを旋回流として噴出する一次支燃性ガスノズルを備えた液体燃料バーナーにおいて、前記一次支燃性ガスノズルより燃焼室先端側に、二次支燃性ガスを旋回流として燃焼室内に噴出する二次支燃性ガスノズルを設けるとともに、前記一次支燃性ガスの供給系と二次支燃性ガスの供給系とを別系統とし、各供給系に独立した供給量制御手段をそれぞれ設け、前記燃焼室の容積は、液体燃料の投入熱量Ｑ［Ｍｃａｌ／ｈｒ］に対して、６〜１２×１０４×（Ｑ／１０００）１／２［ｍｍ３］の範囲であり、前記燃焼室の円錐角度が２０〜６０度の範囲であり、かつ、前記二次支燃性ガスの噴出方向は、バーナー中心軸に対して６０〜９０度の範囲であるとともにバーナー中心軸を中心とする円の法線に対して３０〜９０度の範囲であることを特徴とする液体燃料バーナー。
【請求項２】
前記二次支燃性ガスは、流量が全支燃性ガス合計流量の５０〜９０％の範囲であり、噴出速度が毎秒５０〜２００ｍの範囲であることを特徴とする請求項１記載の液体燃料バーナー。
【請求項３】
前記二次支燃性ガスノズルより燃焼室先端側に、三次支燃性ガスを二次支燃性ガスと同方向の旋回流として燃焼室内に噴出する三次支燃性ガスノズルを設けたことを特徴とする請求項１記載の液体燃料バーナー。
【請求項４】
前記一次支燃性ガスは、流量が全支燃性ガス合計流量の１０〜５０％の範囲であり、噴出速度が毎秒１００〜３００ｍの範囲であることを特徴とする請求項１又は３記載の液体燃料バーナー。
【請求項５】
前記二次支燃性ガスは、流量が全支燃性ガス合計流量の２０〜４０％の範囲であり、噴出速度が毎秒５０〜２００ｍの範囲であることを特徴とする請求項３記載の液体燃料バーナー。
【請求項６】
前記三次支燃性ガスは、流量が全支燃性ガス合計流量の２０〜４０％の範囲であり、噴出速度が毎秒５０〜２００ｍの範囲であることを特徴とする請求項３記載の液体燃料バーナー。
【請求項７】
前記三次支燃性ガスの噴出方向は、バーナー中心軸に対して３０〜９０度の範囲であり、バーナー中心軸を中心とする法線に対して３０〜９０度の範囲であることを特徴とする請求項３記載の液体燃料バーナー。
【請求項８】
前記一次支燃性ガスの供給系と二次支燃性ガスの供給系と三次支燃性ガスの供給系とを別系統とし、各供給系に独立した供給量制御手段をそれぞれ設けたことを特徴とする請求項３記載の液体燃料バーナー。
【請求項９】
前記二次支燃性ガスと三次支燃性ガスとが一つの供給系から供給されて分岐したものであることを特徴とする請求項３記載の液体燃料バーナー。
【請求項１０】
請求項１記載の液体燃料バーナーの運転方法であって、ターンダウン運転の際には、一次支燃性ガスの供給量を定格運転時の８０〜１２０％に保ち、二次支燃性ガスの流量のみを制御して支燃性ガス供給量を調節することを特徴とする液体燃料バーナーの運転方法。
【請求項１１】
請求項８又は９記載の液体燃料バーナーの運転方法であって、ターンダウン運転の際には、一次支燃性ガスの供給量を定格運転時の８０〜１２０％に保ち、二次支燃性ガス及び三次支燃性ガスの流量を制御して支燃性ガス供給量を調節することを特徴とする液体燃料バーナーの運転方法。
【発明の詳細な説明】
【０００１】
【発明の属する技術分野】
本発明は、液体燃料バーナー及びその運転方法に関し、詳しくは、液体燃料と支燃性ガスとをそれぞれのノズルから燃焼室に噴出させ、両者を混合させて燃焼させる液体燃料バーナーであって、特に、放射伝熱によって被加熱物を加熱するのに適した液体燃料バーナーに関する。
【０００２】
【従来の技術及び発明が解決しようとする課題】
液体燃料を燃焼させるためのバーナーとして、実公昭６３−６５６８号公報や特公平３−３１２２号公報に記載された構造のものが知られている。これらの液体燃料バーナーは、ノズルの中心に、液体燃料を霧化して噴出する燃料霧化器を設けるとともに、該燃料霧化器の外周に、燃料霧化器から噴出した燃料を包み込むように一次支燃性ガスを旋回流として噴出する一次支燃性ガスノズルを設け、さらに、二次支燃性ガスを直進流あるいは旋回流として噴出する小口径の二次支燃性ガスノズルを外周部に設けている。
【０００３】
このような構造の液体燃料バーナーの火炎特性は、液体燃料が一次支燃性ガスで燃焼して形成される火炎（一次火炎）を、二次支燃性ガスと急速に混合させて燃焼させるため、燃焼効率が高くなり、すすの発生が少なく、放射伝熱特性が低いものとなる。さらに、二次支燃性ガスの流れによって一次火炎の広がりが制約されるため、全体の火炎形状が細長くなる。
【０００４】
一方、鉄、非鉄、窯業用の加熱・溶解炉や産業用ボイラーに使用するバーナーとしては、放射伝熱効率の高い火炎特性が得られるバーナーが要求されている。したがって、上記従来の液体燃料バーナーを使用した場合は、放射伝熱効率が低いために燃焼室（炉内）での熱回収率が低くなってしまう。また、産業用ボイラーのように、短い燃焼空間で燃焼させる場合は、火炎長が長いと火炉出口のガス温度が規定温度より高くなったり、バーナーの対面壁に火炎が当たって壁を傷めるおそれがある。
【０００５】
そこで本発明は、燃焼効率を損なうことなく、火炎長が短く、放射伝熱効率が高い火炎を得ることができる液体燃料バーナーを提供するとともに、燃焼量を下げるターンダウン運転を安定して効率よく行うことができる液体燃料バーナーの運転方法を提供することを目的としている。
【０００６】
【課題を解決するための手段】
上記目的を達成するため、本発明の液体燃料バーナーは、先端側が拡開した円錐状燃焼室の中心に、液体燃料を霧化して噴出する燃料霧化器を備えるとともに、該燃料霧化器の外周に、燃料霧化器から噴出した燃料を包み込むように一次支燃性ガスを旋回流として噴出する一次支燃性ガスノズルを備えた液体燃料バーナーにおいて、前記一次支燃性ガスノズルより燃焼室先端側に、二次支燃性ガスを旋回流として燃焼室内に噴出する二次支燃性ガスノズルを設けるとともに、前記一次支燃性ガスの供給系と二次支燃性ガスの供給系とを別系統とし、各供給系に独立した供給量制御手段をそれぞれ設け、前記燃焼室の容積は、液体燃料の投入熱量Ｑ［Ｍｃａｌ／ｈｒ］に対して、６〜１２×１０４×（Ｑ／１０００）１／２［ｍｍ３］の範囲であり、前記燃焼室の円錐角度が２０〜６０度の範囲であり、かつ、前記二次支燃性ガスの噴出方向は、バーナー中心軸に対して６０〜９０度の範囲であるとともにバーナー中心軸を中心とする円の法線に対して３０〜９０度の範囲であることを特徴としている。
【０００７】
このような二系統の支燃性ガスを有する液体燃料バーナーの場合は、前記二次支燃性ガスの流量を全支燃性ガス合計流量の５０〜９０％の範囲とし、その噴出速度を毎秒５０〜２００ｍの範囲に設定することが好ましい。
【０００８】
さらに、本発明の液体燃料バーナーは、前記二次支燃性ガスノズルより燃焼室先端側に、三次支燃性ガスを二次支燃性ガスと同方向の旋回流として燃焼室内に噴出する三次支燃性ガスノズルを設けたことを特徴としている。
【０００９】
このように、三系統の支燃性ガスを有する液体燃料バーナーの場合は、前記一次支燃性ガスの供給系と二次支燃性ガスの供給系と三次支燃性ガスの供給系とを別系統とし、各供給系に独立した供給量制御手段をそれぞれ設けることが特に好ましいが、二次支燃性ガスと三次支燃性ガスとを一つの供給系から供給して分岐させることもできる。このときの二次支燃性ガスは、流量を全支燃性ガス合計流量の２０〜４０％の範囲とし、噴出速度を毎秒５０〜２００ｍの範囲に設定することが好ましい。
【００１０】
また、三次支燃性ガスは、流量を全支燃性ガス合計流量の２０〜４０％の範囲とし、噴出速度を毎秒５０〜２００ｍの範囲に設定することが好ましく、噴出方向は、バーナー中心軸に対して３０〜９０度の範囲で、バーナー中心軸を中心とする法線に対して３０〜９０度の範囲に設定することが好ましい。
【００１１】
さらに、両バーナーにおいて、前記燃焼室の円錐角度は、２０〜６０度の範囲であることが好ましい。
【００１２】
また、前記二次支燃性ガスの噴出方向は、バーナー中心軸に対して６０〜９０度の範囲とし、バーナー中心軸を中心とする円の法線に対して３０〜９０度の範囲に設定することが好ましい。
【００１３】
そして、本発明の液体燃料バーナーの運転方法は、二系統の支燃性ガスを有する液体燃料バーナーの場合、ターンダウン運転の際には、一次支燃性ガスの供給量を定格運転時の８０〜１２０％に保ち、二次支燃性ガスの流量のみを制御して支燃性ガス供給量を調節することを特徴としている。
【００１４】
また、三系統の支燃性ガスを有する液体燃料バーナーの場合、ターンダウン運転の際には、一次支燃性ガスの供給量を定格運転時の８０〜１２０％に保ち、二次支燃性ガス及び三次支燃性ガスの流量を制御して支燃性ガス供給量を調節することを特徴としている。
【００１５】
【発明の実施の形態】
図１及び図２は、本発明の液体燃料バーナーの第１形態例を示すもので、図１は断面側面図、図２は二次支燃性ガスノズルの形状を説明するための断面正面図である。
【００１６】
この液体燃料バーナーは、先端側が角度αで拡開した円錐台形状の燃焼室１１に、液体燃料を霧化して噴出する燃料霧化器１２と、液体燃料を燃焼させる支燃性ガスを噴出する一次支燃性ガスノズル１３及び二次支燃性ガスノズル１４とを設けたものである。なお、バーナー外周には、水冷ジャケット１６が設けられている。
【００１７】
燃料霧化器１２は、液体燃料流路２２から供給される液体燃料を霧状に噴出するものであって、例えば、前記公報に記載されてスワラー等を使用することができる。また、一次支燃性ガスノズル１３は、燃料霧化器１２の外周に隣接して設けられており、一次支燃性ガス流路２３から供給される一次支燃性ガスを、燃料霧化器１２から噴出した液体燃料を包み込むような旋回流として噴出するように形成されている。
【００１８】
このように、燃料霧化器１２で霧化して噴出した液体燃料を、一次支燃性ガスノズル１３から旋回流となって噴出した一次支燃性ガスで包み込むことにより、液体燃料の霧化を促進することができるとともに、燃料と一次支燃性ガスとを急速に混合させて燃焼させることができる。
【００１９】
二次支燃性ガスノズル１４は、二次支燃性ガス流路２４から供給される二次支燃性ガスを、一次支燃性ガスノズル１３より燃焼室先端側において、バーナー中心軸ＣＬに対して角度βで、かつ、バーナー中心軸を中心とする円の法線ＮＬに対して角度γで、燃焼室１１内に旋回流を形成するように噴出するように形成されている。
【００２０】
このように形成した液体燃料バーナーは、一次、二次の各支燃性ガスの流量比及び流速、燃焼室１１における円錐面の開き角度α、二次支燃性ガスの噴出角度β及びγを調節することにより、火炎の径や放射伝熱効率を制御することができる。
【００２１】
これらの最適な範囲は、相互に影響するので一概には決められないが、例えば、燃焼室１１における円錐面の開き角度αは、２０〜６０度の範囲が適当である。角度αが小さいと火炎が十分に拡がらず、火炎長が長くなることがあり、角度αが大きいと燃料と支燃性ガスとの混合を十分に行えなくなることがある。
【００２２】
さらに、燃焼室１１の容積は、液体燃料の投入熱量Ｑ［Ｍｃａｌ／ｈｒ］に対して、６〜１２×１０４×（Ｑ／１０００）１／２［ｍｍ３］の範囲であることが好ましい。これよりも燃焼室１１の容積が小さくなると、燃焼室１１内での燃焼が促進されて火炎の輝炎部が小さくなる傾向があり、容積が大きくなると、燃焼室１１からの水冷損失が大きくなる傾向がある。
【００２３】
また、二次支燃性ガスの噴出方向は、バーナー中心軸ＣＬに対する角度βが６０〜９０度の範囲、法線ＮＬに対する角度γが３０〜９０度の範囲が適当である。角度βが小さいと火炎推進方向の力が大きくなって火炎長が長くなり、角度γが小さいと十分な旋回流が得られなくなる。９０度を超える角度は無意味である。
【００２４】
なお、燃料霧化器１２と一次支燃性ガスノズル１３とは、液体燃料を十分に霧化することができ、十分な初期燃焼が得られればよく、前記公報記載のものと同様に形成することができる。
【００２５】
一次、二次の各支燃性ガスの流量比は、流速や各支燃性ガスの噴出方向等によっても異なるが、一次支燃性ガスは、前述のように、液体燃料の霧化と初期燃焼とが達成できればよいため、十分な流速を有していれば少量でも十分に目的を達成することができ、全支燃性ガス量の１０〜５０％の範囲で設定することができるが、好ましくは２０〜４０％が適当である。また、二次支燃性ガスは、十分な旋回流を形成するためにある程度の流量が必要であるから、５０％以上にしておくことが好ましい。
【００２６】
さらに、一次、二次の各支燃性ガスの流速も、上記流量比や各支燃性ガスの噴出方向等に応じて設定されるものである。一般に、一次支燃性ガスの流速を高めると液体燃料の霧化及び一次支燃性ガスとの混合を効果的に行うことができるが、流速が高すぎると、一次支燃性ガスと液体燃料とが急速に混合されることによって燃焼が速くなり、火炎からの放射伝熱量が低下することがある。例えば、一次支燃性ガスの流速が毎秒１００ｍ未満だと液体燃料の霧化及び一次支燃性ガスとの混合が十分に行えなくなるときがあり、毎秒３００ｍを超えると二次支燃性ガスによる旋回力を受けにくくなり、火炎の広がりが十分に得られなくなる。通常、一次支燃性ガスの流量比が小さい場合は、流速を高めに設定することが好ましい。
【００２７】
また、二次支燃性ガスの流速は、遅過ぎると十分な旋回力を与えることができなくなって火炎を十分に広げることができなくなり、必要以上に速くすると、燃焼が促進されるために火炎の放射伝熱性能が低下してしまう。通常の場合は、毎秒５０〜２００ｍの範囲が適当である。
【００２８】
いずれにしても、この液体燃料バーナーを設置する燃焼室（炉）における最適な火炎を得るためには、一次、二次の各支燃性ガスの流量比や流速、燃焼室１１の開き角度α、二次支燃性ガスの噴出角度β，γを適切な範囲に設定する必要があるが、上述のような構造に形成することにより、前記公報記載のバーナーに比べて有効火炎長を短くすることができ、すなわち、バーナーの近傍で高い放射熱流束が得られるとともに、全体として放射伝熱効率に優れた火炎が得られる。
【００２９】
また、一次支燃性ガス流路２３及び二次支燃性ガス流路２４に支燃性ガスを供給する系統を別系統とし、各系統に、流量調節弁のような供給量制御手段をそれぞれ設けておくことにより、支燃性ガスの供給量や両者の割合を適切に設定することができる。
【００３０】
このように、各支燃性ガスの供給量（流量）を独立して制御できるように形成することにより、ターンダウン運転を行う場合でも、正常な燃焼状態を得ることができる。すなわち、ターンダウン運転では、液体燃料供給量が減少することによって燃料霧化器１２への液体燃料の供給圧力が低下するため、このままでは、液体燃料の霧化が十分に行えず、液滴が大きくなって燃焼が困難になってしまう。このため、この状態で一次支燃性ガスの流量を液体燃料の流量に比例して減少させると、液体燃料の霧化が十分に行われず、一次支燃性ガスとの混合も十分に行われないため、燃料液滴や未燃分が火炎外に放出されてしまい、一酸化炭素やすす等の未燃分が発生して炉から放出されてしまうことになる。特に、燃焼量が定格の６０％を下回ると、この現象が著しくなる。
【００３１】
したがって、ターンダウン運転を行う際に、一次支燃性ガスの流量を定格運転時と略同等の８０〜１２０％の範囲に保ちながら、二次支燃性ガスの流量のみを制御して支燃性ガス供給量を調整することにより、燃料霧化器１２から噴出する液体燃料の霧化を一次支燃性ガスにより促進し、かつ、両者を十分に混合させることができる。これにより、燃焼状態の悪化を防ぐことができる。
【００３２】
図３乃至図５は、本発明の液体燃料バーナーの第２形態例を示すもので、図３は断面側面図、図４は二次支燃性ガスノズルの形状を説明するための断面正面図、図５は三次支燃性ガスノズルの形状を説明するための断面正面図である。なお、以下の説明において、前記第１形態例の構成要素と同一の構成要素には同一の符号を付して詳細な説明は省略する。
【００３３】
この液体燃料バーナーは、先端側が角度αで拡開した円錐台形状の燃焼室１１に、液体燃料を霧化して噴出する燃料霧化器１２と、液体燃料を燃焼させる支燃性ガスを噴出する一次支燃性ガスノズル１３，二次支燃性ガスノズル１４及び三次支燃性ガスノズル１５とを設けたものである。
【００３４】
三次支燃性ガスノズル１５は、三次支燃性ガス流路２５から供給される三次支燃性ガスを、二次支燃性ガスノズル１４より燃焼室先端側において、バーナー中心軸ＣＬに対して角度δで、かつ、法線ＮＬに対して角度εで、燃焼室１１内に旋回流を形成するように噴出するように形成されている。
【００３５】
このように三系統の支燃性ガスを設けた液体燃料バーナーの場合は、一次、二次、三次の各支燃性ガスの流量比及び流速、燃焼室１１における円錐面の開き角度α、二次支燃性ガスの噴出角度γ及び三次支燃性ガスの噴出角度εを調節することにより、火炎の径や放射伝熱効率を制御することができる。
【００３６】
燃焼室１１、燃料霧化器１２、一次支燃性ガスノズル１３及び二次支燃性ガスノズル１４の形状は、前記同様に形成することができるが、三次支燃性ガスの噴出方向は、前述の二次支燃性ガスと同様の理由から、バーナー中心軸ＣＬに対する角度δが６０〜９０度の範囲、法線ＮＬに対する角度εが３０〜９０度の範囲が適当である。二次支燃性ガスノズル１４と三次支燃性ガスノズル１５とは、その位置関係から、二次支燃性ガスの噴出角度βを９０度に近くして燃焼室１１部分における旋回力を高め、三次支燃性ガスの噴出角度δは、火炎に適度な推進力を与えるために角度β以下の角度にしておくことが好ましい。
【００３７】
一次、二次、三次の各支燃性ガスの流量比は、流速や各支燃性ガスの噴出方向等によっても異なるが、いずれかの支燃性ガスの流量が全支燃性ガス量の５０％を超えると、他の二つの支燃性ガス量が十分でなくなり、燃焼効率や火炎形状に悪影響を与えることがあるので、いずれの支燃性ガス量も、最大で５０％以下にしておくことが好ましい。
【００３８】
また、一次支燃性ガスは、前述のように、液体燃料の霧化と初期燃焼とが達成できればよいため、十分な流速を有していれば他の支燃性ガス量より少な目にしてもよく、１５％程度の流量でも十分であるが、二次、三次の各支燃性ガスは、十分な旋回流を形成するためにある程度の流量が必要であるから、それぞれ２０％以上にしておくことが好ましい。
【００３９】
通常は、一次、二次、三次の各支燃性ガスの流量を略等分にすればよく、例えば、一次支燃性ガス量を３０％、二次、三次の各支燃性ガス量を３５％ずつとすればよい。このとき、二次支燃性ガスの噴出角度βを９０度、三次支燃性ガスの噴出角度δを４５度とした場合、三次支燃性ガスの流量割合を多くすれば推進力が増大する。
【００４０】
一次、二次、三次の各支燃性ガスの流速も、上記流量比や各支燃性ガスの噴出方向等に応じて設定されるものであるが、この場合も、一次支燃性ガスと二次支燃性ガスとは前述のような範囲に設定しておくことが好ましい。三次支燃性ガスの流速は、遅過ぎると旋回力や推進力を十分に与えることができなくなり、必要以上に速くすると、火炎の放射伝熱性能が低下してしまうので、通常の場合は、毎秒５０〜２００ｍの範囲が適当である。
【００４１】
したがって、本形態例に示す液体燃料バーナーにおいても、一次、二次、三次の各支燃性ガスの流量比や流速、燃焼室１１の開き角度α、二次支燃性ガスの噴出角度β，γ及び三次支燃性ガスの噴出角度δ，εを適切な範囲に設定することにより、有効火炎長が短く、放射伝熱効率に優れた火炎を得ることができる。
【００４２】
また、一次、二次、三次の各支燃性ガス供給量を独立して制御できるように形成し、ターンダウン運転を行う場合に、一次支燃性ガスの流量を定格運転時と略同等の８０〜１２０％の範囲に保ちながら、二次、三次支燃性ガスの流量を制御して支燃性ガス供給量を調整することにより、前記同様にして正常な燃焼状態を得ることができる。
【００４３】
特に、このような三次支燃性ガスを付加することにより、燃焼室１１内で支燃性ガスを段階的に供給することができるため、燃焼効率の向上及び火炎安定性の向上を図ることができる。さらに、三次支燃性ガスの流量比や噴出角度を調節することにより、火炎形状の制御をより容易に行うことができる。
【００４４】
図６乃至図８は、本発明の液体燃料バーナーの第３形態例を示すもので、図６は断面側面図、図７は二次支燃性ガスノズルの形状を説明するための断面正面図、図８は三次支燃性ガスノズルの形状を説明するための断面正面図である。
【００４５】
本形態例に示す液体燃料バーナーは、二次支燃性ガスと三次支燃性ガスとを共通の支燃性ガス流路２６から供給し、二次支燃性ガスノズル１４と三次支燃性ガスノズル１５の部とに分岐させたものである。各ノズル１４，１５からの二次支燃性ガス及び三次支燃性ガスの流量や流速は、ノズル形状を適宜に設定することにより最適な範囲に調節することができる。
【００４６】
そして、この場合も、一次支燃性ガスの供給量と、二次・三次支燃性ガスの供給量とをそれぞれ独立して制御できるように形成することにより、ターンダウン運転を行う際にも、最適な燃焼状態を得ることができる。
【００４７】
【実施例】
実施例１
前記第１形態例に示した構造の液体燃料バーナー（第１形態例バーナー）と、前記実公昭６３−６５６８号公報に記載された構造の液体燃料バーナー（従来バーナー）とを開放状態で燃焼させ、火炎形状を比較した。
【００４８】
液体燃料としては重油を使用し、毎時１００リットルで供給するとともに、支燃性ガスとして純酸素を合計量で毎時２００Ｎｍ３供給して燃焼させた。第１形態例バーナーにおける燃焼室の開き角度αは３０度、二次支燃性ガスの噴出角度βは９０度、γは４５度とした。また、一次支燃性ガスの流速は毎秒２００ｍ、二次支燃性ガスの流速は毎秒１３０ｍとした。そして、一次支燃性ガスの流量を毎時４０〜１００Ｎｍ３に変化させ、残部を二次支燃性ガスとして燃焼させることにより、一次支燃性ガスの流量と二次支燃性ガスの流量との割合を変化させた。
【００４９】
図９は、従来バーナーの輝炎の状態を示すもので、細長い形状の輝炎Ａとなっている。図１０は、第１形態例バーナーにおいて、一次支燃性ガスの流量と二次支燃性ガスの流量との割合（一次支燃性ガス／二次支燃性ガス）を「２／８」にした場合の輝炎Ｂを、図１１は、一次支燃性ガスの流量と二次支燃性ガスの流量との割合を「３／７」にした場合の輝炎Ｃを、図１２は、一次支燃性ガスの流量と二次支燃性ガスの流量との割合を「５／５」にした場合の輝炎Ｄ及び青炎Ｅの状態を、それぞれ示すものである。
【００５０】
これらの図から明らかなように、第１形態例バーナーは、従来バーナーに比べて火炎（輝炎）径が大きく火炎（輝炎）長が短い火炎が得られることがわかる。例えば、流量割合を「３／７」にした場合、輝炎径を約２倍に、輝炎長を約１／２にすることができる。さらに、流量割合を調節することによって火炎形状を制御することができることもわかる。また、一次支燃性ガスの流量割合を多くすると青炎部が発生し、この青炎部を含めた火炎長は、一次支燃性ガスの流量割合の増加に伴って長くなる。
【００５１】
実施例２
第１形態例バーナーと従来バーナーとを水冷式円筒炉内で燃焼させて火炎の放射熱流束を測定し、従来バーナーとの相対的比較を行った。なお、燃焼条件は実施例１と同様とした。
【００５２】
図１３は、一次支燃性ガスの流量と二次支燃性ガスの流量との割合を、「２／８」、「３／７」、「５／５」に設定した場合において、従来バーナーの放射熱流束を「１．０」としたときのバーナーからの距離に対する相対熱流束の状態（火炎軸方向の放射熱流束の変化）を示している。
【００５３】
図１３から明らかなように、第１形態例バーナーは、バーナーから５００〜７００ｍｍ以下のところで従来バーナーより高い放射熱流束が得られ、放射伝熱効率が高いことがわかる。特に、一次支燃性ガスの流量割合が小さいほどバーナーに近いところでより高い放射熱流束が得られることがわかる。また、一次支燃性ガスの流量割合を高くすると、バーナー近傍での放射熱流束は低くなるものの、より遠方まで従来バーナーより高い放射熱流束が得られていることがわかる。
【００５４】
また、図１４は、支燃性ガス全流量に対する二次支燃性ガスの流量の割合と、従来バーナーの伝熱効率を「１．０」としたときの相対伝熱効率との関係を示すものである。
【００５５】
図１４から明らかなように、二次支燃性ガスの流量割合が０．５〜０．９の範囲で従来バーナーより高い伝熱効率が得られ、特に、二次支燃性ガスの流量割合が０．７のときに、従来バーナーの１．４倍の放射伝熱効率が得られていることがわかる。
【００５６】
これらの結果から、第１形態例バーナーでは、支燃性ガスの流量割合を調節することにより、軸方向の放射熱流束分布を変化させることができるため、火炉の形状に適した火炎を容易に作り出すことができ、しかも、従来よりも高い放射伝熱効率が得られることがわかる。
【００５７】
実施例３
前記第２形態例に示した構造の液体燃料バーナー（第２形態例バーナー）を、次の条件で燃焼させて火炎の状態を観察し、また、火炎軸方向の放射熱流束分布も測定した。
【００５８】
液体燃料として重油を毎時１００リットルで供給するとともに、支燃性ガスとして純酸素を合計量で毎時２００Ｎｍ３供給した。燃焼室の開き角度αは３０度、二次支燃性ガスの噴出角度βは９０度、γは４５度とし、三次支燃性ガスの噴出角度δは４５度、εは４５度とした。また、一次支燃性ガスの流量は毎時６０Ｎｍ３、流速は毎秒２００ｍ、二次支燃性ガス及び三次支燃性ガスの流量はそれぞれ毎時７０Ｎｍ３、流速はそれぞれ毎秒１３０ｍとした。このときの一次・二次・三次の各支燃性ガスの流量割合は、「３／３．５／３．５」である。
【００５９】
図１５は、第２形態例バーナーからの火炎の状態を示すもので、図９に示した従来バーナーの火炎に比べて太く、図１１に示す一次支燃性ガスの流量割合が同じ場合の第１形態例バーナーの火炎に比べて長い輝炎Ｆが得られ、青炎部は現れなかった。したがって、三次支燃性ガスを付加することによって放射伝熱に有効な輝炎を太く、長くすることができ、かつ、青炎部の発生を抑えることができる。
【００６０】
図１６は、従来バーナーの放射熱流束に対する「１．０」としたときのバーナーからの距離に対する相対熱流束の状態を示している。この図から明らかなように、三次支燃性ガスを付加したもの（「３／３．５／３．５」）は、従来バーナーに比べて放射熱流束が高く、また、三次支燃性ガスを付加しない場合（「３／７／０」）に比べてバーナー近傍での放射熱流束は低くなるが、高い放射熱流束が遠方まで略均一に得られていることがわかる。
【００６１】
したがって、三次支燃性ガスを付加を付加することで、火炉長が長く、火炉全体で均一な放射熱流束を必要とするものにも対応することができ、火炉形状に適した火炎を、より容易に形成することができる。
【００６２】
【発明の効果】
以上説明したように、本発明によれば、燃焼効率を損なうことなく、火炎長が短く、放射伝熱効率が高い火炎を形成することができる。したがって、放射伝熱を利用して被加熱物を加熱する用途、例えば、鉄、非鉄、窯業用の加熱・溶解炉や産業用ボイラーに使用するバーナーとして最適である。また、ターンダウンも安定した状態で行うことができる。
【図面の簡単な説明】
【図１】  本発明の液体燃料バーナーの第１形態例を示す断面側面図である。
【図２】  第１形態例における二次支燃性ガスノズルの形状を説明するための断面正面図である。
【図３】  本発明の液体燃料バーナーの第２形態例を示す断面側面図である。
【図４】  第２形態例における二次支燃性ガスノズルの形状を説明するための断面正面図である。
【図５】  第２形態例における三次支燃性ガスノズルの形状を説明するための断面正面図である。
【図６】  本発明の液体燃料バーナーの第３形態例を示す断面側面図である。
【図７】  第３形態例における二次支燃性ガスノズルの形状を説明するための断面正面図である。
【図８】  第３形態例における三次支燃性ガスノズルの形状を説明するための断面正面図である。
【図９】  実施例１における従来バーナーの輝炎の状態を示す図である。
【図１０】  実施例１において一次支燃性ガスと二次支燃性ガスとの流量割合を２／８にした場合の輝炎の状態を示す図である。
【図１１】  実施例１において一次支燃性ガスと二次支燃性ガスとの流量割合を３／７にした場合の輝炎の状態を示す図である。
【図１２】  実施例１において一次支燃性ガスと二次支燃性ガスとの流量割合を５／５にした場合の輝炎及び青炎の状態を示す図である。
【図１３】  実施例２における一次支燃性ガスと二次支燃性ガスとの流量割合を変化させたときのバーナーからの距離に対する相対熱流束を示す図である。
【図１４】  実施例２における支燃性ガス全流量に対する二次支燃性ガスの流量割合と、従来バーナーの伝熱効率を「１．０」としたときの相対伝熱効率との関係を示す図である。
【図１５】  実施例３における火炎の状態を示す図である。
【図１６】  実施例３におけるバーナーからの距離に対する相対熱流束を示す図である。
【符号の説明】
１１…燃焼室、１２…燃料霧化器、１３…一次支燃性ガスノズル、１４…二次支燃性ガスノズル、１５…三次支燃性ガスノズル、１６…水冷ジャケット、２２…液体燃料流路、２３…一次支燃性ガス流路、２４…二次支燃性ガス流路、２５…三次支燃性ガス流路、２６…支燃性ガス流路、ＣＬ…バーナー中心軸、ＮＬ…バーナー中心軸を中心とする円の法線
【図１】
0004420492.tif 000002
【図２】
0004420492.tif 000003
【図３】
0004420492.tif 000004
【図４】
0004420492.tif 000005
【図５】
0004420492.tif 000006
【図６】
0004420492.tif 000007
【図７】
0004420492.tif 000008
【図８】
0004420492.tif 000009
【図９】
0004420492.tif 000010
【図１０】
0004420492.tif 000011
【図１１】
0004420492.tif 000012
【図１２】
0004420492.tif 000013
【図１３】
0004420492.tif 000014
【図１４】
0004420492.tif 000015
【図１５】
0004420492.tif 000016
【図１６】
0004420492.tif 000017